(57)【要約】【課題】単純で無調整かつローコストな落水者の捜索方法とその救難信号発振器の実現を課題とする。【解決手段】通常の航行機器  無線設備でホーミングできる落水者の方位探知用  トランスポンダーをマイクロ波の検波回路２と演算装置３  発振器４  応答アンテナ５を用いて構成し  レーダー帯域ではなく無線通信装置に低周波での応答信号を送信する装置と、指差し操作によりレーダーＰＰＩスコープ上で落水者方位を特定する救難信号発振器。【選択図】図１
2011141121.tif 000002
【特許請求の範囲】
【請求項１】
マイクロ波を用いたアンテナを回転させるレーダーのパルス波を広域アンテナ１と検波回路２により受信し、その信号を演算回路３で処理し発振器４を制御することでレーダーとは異なる無線周波数に応答アンテナ５で誘導信号を発生する装置とその低周波信号を使用してレーダーのＰＰＩスコープ上で指差し照合により落水者方位を探知する救難信号発振器。
【発明の詳細な説明】
【技術の分野】
【００１】  この発明は海難、特に落水者の救助に関するもので、既に船舶に装備されたレーダーと無線通信設備を用いて落水者の方位を特定する為のものである。
【背景技術】
【００２】  航行する船舶の船員とその乗客は常に落水の危険にさらされている。  船舶の救助信号発生装置は衛星を用いたものビーコンなど法的に周波数など整備されているが個々の人間に対しては溺死対策としての救命胴衣や位置を知らせるためのホイッスル、灯火、着色マーカーなどが依然  旧式な方法となっており、夜間や荒天時  落水者を見失う可能性が高い。【００３】  技術的には可能な、ＧＰＳ受信機とその位置を送信する無線装置も乗船する全ての人間に装着するのは、経済的に難しく民間では実施されていない。【００４】  膨張式レーダー  リフレクターも存在するが有効な信号の反射を行う為には十分なアンテナ高度と反射面積が必要で、携帯できるサイズでは高度や面積が不足する。  また荒天時は海面反射の中に消えてしまうなどの理由であまり普及していない。【００５】  従来の技術においてレーダーにより発射された電波に対応してレーダーの受信周波数で応答するトランスポンダもあるがレーダーの周波数帯域の発振を行うためには高価で消費電力も大きく物理的にも、搭乗員すべてに装着することは困難であった。【００６】  荒天時や夜間に落水者を見失った場合、捜索は困難を極め、流れの強い海域では数日間の漂流もありえる。  現在  搭乗者全員に用いる事が可能な経済的で携帯性が良い救難信号発振器や捜索方法は確立していない。
【発明が解決しようとする課題】
【００７】  リフレクター方式は原価は低いが、レーダー波は到達までに減衰しさらに反射波が受信されるまでに減衰、微弱な電波となる為、小さなリフレクタでは確認が難しい。  また  全ての方向で反射を有効にする為には各方位に対する数段に分けたリフレクタを分けなくてはならずこれも反射面積を確保する事を難しくしている。  本発明は反射ではなく自ら信号を発する応答型トランスポンダにおいて  レーダーに使用されるマイクロ波でこの応答を行うのではなく経済的に構成可能な航行通信用無線周波数で落水者方位を特定する事を課題とする。
【課題を解決するための手段】
【００８】  以上の課題を解決するために本発明は、数秒で１回転し、各方位にマイクロ波を発射するレーダー装置の空間波を一般的なダイオードで直接検波し、その信号をトリガーとして常用される通信システムの通話チャンネルに低周波信号を送出する。  探索者はこの音声信号が同期するＰＰＩスコープ上の走引線の方向から落水者の位置を確認する。
【発明の効果】
【００９】  本発明によれば、高価な応答用  マイクロ波の発振回路は不要となり、船舶で搭載されている標準的な無線設備に対して単発の低周波信号で応答することが可能となる。
【０１０】  落水者の確認の方位精度は９０°未満であれば落水者の位置に収束するので特殊な表示装置がなくても実用になる。  つまり、２秒一回転のレーダーにおいて０．５秒の範囲であり、これは周期的に発生する音響信号で人間が反射的に反応できる範囲となる。
【０１１】  これら一連の方法を実施すれば、探索者は設備の追加なく  国際ＶＨＦ無線装置などから流れる応答音を聞き、レーダーのＰＰＩスコープの周囲を走引線の回転にあわせて指でなぞり、音の発生と同時に指を停止すればその方位を得ることができる。
【発明を実施するための最良の形態】
【０１２】  本発明の一実施形態を図１に示す。広域アンテナ１は９ＧＨｚを中心とする無指向性  広帯域アンテナを直接検波により構成する。  広域アンテナ１の中心部には検波ダイオードがあり、コンデンサーと共に検波回路２を構成している。検波出力は、Ａ／Ｄコンバーターを内蔵するＣＰＵで構成される演算回路３に入力され、受信したレーダーパルスの直後に２００ｍｓ程度の短く、かつ、信号ピーク電圧に応じたトーンを発生し、応答電波を発振器４及び応答アンテナ５で送信する。捜索者は受信信号を耳で聞き、ＰＰＩスコープ上を走引線の動きにあわせ指でなぞり  その音をトリガーに指を止める。【０１３】  このシステムにおいて捜索側レーダー出力は小型船舶用のレーダーにおいても２ＫＷ以上あるため、容易に１マイル程度の範囲で受信できる。  広域アンテナ１、及び  応答アンテナ５の高度は５０ｃｍ程度でよい。  応答送信出力は１０ｍＷから５０ｍＷ程度  効率３０％  レーダーの回転周期が２秒のとすれば、おおよそ、救難信号発振器の平均消費電力は２０ｍＷ以下となる。  これらの周期やとアンテナ高、応答出力、消費電力はシステムの有効範囲の調整に必要なパラメータであり本発明の原理的相違ではない。【０１４】  本発明の原理形態はレーダー周波数帯で広域受信する手段、受信パルスを異なる周波数帯で応答送信する手段  及び  その低周波信号によりＰＰＩスコープ上で落水者の方位を特定する手段である。
【実施形態の効果】
【０１５】  この実施形態によれば一般的な量産型ダイオードとコンデンサーで検波が受信周波数領域は広域で船舶に装備されるほとんどの周波数帯のレーダーが利用できる。  また応答信号は電波法上のの問題もあるが救難信号でもあるため、各バンドのメインチャンネルとし、これを公示すれば航行中の他の船舶も落水者の存在を確認できる。  つまり、捜索する船舶に捜索用の機器は必要ない。
【０１６】  救難信号発振器の構成にも高価な部品は必要なく  また    ３グラム程度の一般的なリチウムコイン電池  ＣＲ２０３２で２４時間の送信が可能となり装置も  筐体を含め数十グラムで構成可能となる。
【０１７】  最も大切なのは搭乗者  全員に配布できる経済性であり現在の数十万円の装置はパーソナルビーコンとして普及できない。  本発明による装置は商業上のマージンを含めても  十分  浸透できるコストパフォーマンスを持つ。
【他の実施形態】
【０１９】  図１の実施形態では１個の検波回路を用いているがこれを複数にしても、また  受信後にフィルター、増幅器を設けても、演算回路をＣＰＵを用いずアナログ回路にしても基本的に同様な動作が可能であり、検波回路の個数とフィルター、増幅器の追加、演算回路の構成は本発明の直接的な手段ではない。
【図面の簡単な説明】
【０２０】【図１】この発明の一実施形態を示すブロック図である。
【０２１】１．広域アンテナ  ２．検波回路  ３．演算回路  ４．発振回路  ５．応答アンテナ
【図１】
2011141121.tif 000003